(57)【要約】      （修正有）【課題】  第１のディスクカートリッジのディスク記録再生装置で第２のディスクカートリッジの記録再生を可能とする。【解決手段】  第１のディスクカートリッジの外形と一致する形状をなすアダプタ本体２と、第１のディスクカートリッジと外形を異にする第２のディスクカートリッジ２００が装着される装着部３と、装着部３に装着された第２のディスクカートリッジ２００に係合して装着部３からの脱落を防止する脱落防止片８と、第２のディスクカートリッジ２００の駆動用開口部２０６に対応して装着部３に形成された第１の開口部４と、第２のディスクカートリッジ２００の記録再生用開口部２０４に対応した第２の開口部５とを備える。装着部３に第２のディスクカートリッジ２００が装着することで、第２のディスクカートリッジ２００が第１のディスクカートリッジ用のディスク記録再生装置で記録再生できるようにする。【選択図】  図１
2007080467.tif 000002
【特許請求の範囲】
【請求項１】
第１のディスクカートリッジの外形と一致する形状をなすアダプタ本体と、
上記第１のディスクカートリッジと外形を異にする第２のディスクカートリッジが位置決めされて装着される装着部と、
上記装着部の外周部に形成され、上記装着部に装着された上記第２のディスクカートリッジに係合して上記装着部からの脱落を防止する脱落防止片と、
上記第２のディスクカートリッジの底面部に形成されたディスク回転駆動用開口部に対応して上記装着部に形成された第１の開口部と、
上記第２のディスクカートリッジの底面部に形成された記録及び／又は再生用の開口部に対応して上記装着部に形成された第２の開口部とを備えるディスクカートリッジ用アダプタ装置。
【請求項２】
上記装着部には、更に、上記第２のディスクカートリッジの底面部に形成された位置決め孔に係合する位置決めピンが形成されている請求項１記載のディスクカートリッジ用アダプタ装置。
【請求項３】
上記装着部には、更に、上記装着部に装着された第２のディスクカートリッジの取り外し用の開口部が形成されている請求項１記載のディスクカートリッジ用アダプタ装置。
【請求項４】
上記アダプタ本体には、更に、上記第２の開口部を開閉するシャッタ部材が側面部に沿って移動可能に設けられている請求項１記載のディスクカートリッジ用アダプタ装置。
【請求項５】
上記アダプタ本体には、更に、上記シャッタ部材の移動をロックするロック部材が設けられていることを特徴とする請求項４記載のディスクカートリッジ用アダプタ装置。
【発明の詳細な説明】
【技術分野】
【０００１】
本発明は、第１のディスクカートリッジ用の記録及び／又は再生装置に第２のディスクカートリッジを装填可能とするディスクカートリッジ用アダプタ装置に関する。
【背景技術】
【０００２】
オーディオ／ビジュアルデータ、ゲーム用プログラム、コンピュータで処理される処理データ等が記録されるディスクカートリッジには、図４に示す第１のディスクカートリッジと図５に示す第２のディスクカートリッジがある。
【０００３】
図４に示す第１のディスクカートリッジ１００は、光磁気ディスク１０１を略矩形のカートリッジ本体１０２内に回転可能に収納している。記録媒体となる光磁気ディスク１０１の中心部には、ディスク記録再生装置側のディスク回転駆動機構を構成するマグネットを内蔵したディスクテーブルが係合するクランピングプレート１０３が取り付けられている。
【０００４】
この光磁気ディスク１０１を回転可能に収納するカートリッジ本体１０２には、前面１０２ａ側略中央の互いに対向する面に、光磁気ディスク１０１の信号記録領域の一部を径方向に亘って外部に臨ませる記録再生用の開口部１０４ａ，１０４ｂが形成されている。一方の開口部１０４ａは、光磁気ディスク１０１の光磁気記録層に対して磁界を印加する磁気ヘッドをカートリッジ本体１０２内部に進入させるためのものであり、他方の開口部１０４ｂは、光ピックアップを光磁気ディスク１０１に臨ませるためのものである。
【０００５】
カートリッジ本体１０２の前面１０２ａ側には、記録再生用開口部１０４ａ，１０４ｂを開閉するための断面略Ｃ字状のシャッタ部材１０５がスライド可能に取り付けられている。このシャッタ部材１０５は、ディスク記録再生装置に装填されたときに限って、記録再生用開口部１０４ａ，１０４ｂを開放し、非使用時には開口部１０４ａ，１０４ｂを閉塞する。
【０００６】
このシャッタ部材１０５は、カートリッジ本体１０２内のロック部材１０８によって、記録再生用開口部１０４ａ，１０４ｂを閉塞した状態にロックされる。このロック部材１０８は、取付片１０８ａと弾性片１０８ｂによって略Ｃ字状に形成され、カートリッジ本体２内の取付ピン１０８ｃに取り付けられている。このロック部材１０８は、カートリッジ本体１０２に取り付けられたとき、取付片１０８ａが固定となり、取付片１０８ａに対して弾性片１０８ｂが弾性変位する。そして、シャッタ部材１０５にカートリッジ本体１０２の前面に沿って形成された延長片１０５ａの係合片１０５ｂが弾性片１０８ｂに形成された係合凹部１０８ｄに係合することによって、シャッタ部材１０５が記録再生用開口部１０４ａ，１０４ｂを閉塞した位置にロックされる。
【０００７】
カートリッジ本体１０２の下面中央部には、光磁気ディスク１０１のクランピングプレート１０３を外部に臨ませる略円形のディスク駆動用開口部１０６が設けられている。第１のディスクカートリッジ１００がディスク記録再生装置に装填されたとき、この駆動用開口部１０６からは、ディスクテーブルが進入し、光磁気ディスク１０１のクランピングプレート１０３がディスクテーブルに磁気吸引される。
【０００８】
また、カートリッジ本体１０２の底面であって前面１０２ａに沿う位置には、真円と長円でなる位置決め孔１０７ａ，１０７ｂが形成されている。
【０００９】
以上のような第１のディスクカートリッジ１００は、カートリッジ本体１０２の前面１０２ａと直交する一側面１０２ｂを挿入端として、ディスク記録再生装置に装填される。すると、シャッタ部材１０５は、第１のディスクカートリッジ１００の挿入方向と同方向に、カートリッジ本体１０２の前面１０２ａに沿ってスライドし、記録再生用開口部１０４ａ，１０４ｂを開放する。この際、シャッタ部材１０５のロック解除は、ディスク記録再生装置側の挿入ガイド片がロック部材１０８の弾性片１０８ｂを内側に押圧することによって、シャッタ部材１０５の延長片１０５ａの係合片１０５ｂが弾性片１０８ｂの係合凹部１０８ｄより外れることによって行われる。そして、ディスク記録再生装置側の位置決めピンが位置決め孔１０７ａ、１０７ｂに係合することによって位置決めされ、記録や再生が可能な状態になる。そして、光磁気ディスク１０１は、クランピングプレート１０３がディスクテーブルに装着されて回転される。これと共に、光磁気ディスク１０１は、記録再生用開口部１０４ａよりカートリッジ本体１０２内に進入した磁気ヘッドにより磁界が印加されると共に、光ピックアップにより記録再生用開口部１０４ｂを介して光ビームが照射されることによって情報信号を記録される。また、光磁気ディスク１０１は、光ピックアップにより記録再生用開口部１０４ｂを介して光ビームが照射され、光ピックアップにより光磁気ディスク１０１で反射された光ビームが検出されることによって、情報信号の再生が行われる。
【００１０】
なお、カートリッジ本体１０２内に収納する記録媒体としては、光磁気ディスク１０１の他に、ピットパターンによってデータが予め記録された再生専用の光ディスク、記録層に有機色素材料を用いデータの追記を可能とする追記型の光ディスク、記録層に相変化材料を用いデータの書換を可能とする書換型の光ディスク等を用いるようにしても良い。
【００１１】
また、図５に示す第２のディスクカートリッジ２００は、光ディスク２０１をカートリッジ本体２０２内に回転可能に収納してなるものであって、ディスク記録再生装置への挿入端側となる一の側面である前面側を円弧状部２０２ａとして形成している。また、カートリッジ本体２０２は、背面側を、なだらかに湾曲して連続する湾曲部２０２ｂとして形成されている。第２のディスクカートリッジ２００は、第１のディスクカートリッジ１００が前面及び背面が直線的に形成されているのに対して、前面と背面に円弧状部２０２ａと湾曲部２０２ｂを有している点で形状を大きく異にしている。
【００１２】
また、第２のディスクカートリッジ２００において、記録媒体となる光ディスク２０１の中心部には、ディスク記録再生装置側のディスク回転駆動機構を構成するマグネットを内蔵したディスクテーブルが係合するクランピングプレート２０３が取り付けられている。なお、ここで用いられる記録媒体は、ピットパターンによってデータが予め記録された再生専用の光ディスクであるが、この他に、光磁気ディスクや追記又は書換型の光ディスクであっても良い。
【００１３】
この光ディスク２０１を回転可能に収納するカートリッジ本体２０２の底面には、直線的な一側面２０２ｃの略中央に位置して、略矩形の記録再生用開口部２０４が形成されている。この記録再生用開口部２０４は、光ディスク２０１の信号記録領域の一部を径方向に亘って外部に臨ませる。また、カートリッジ本体２０２の底面の略中央部には、光ディスク２０１のクランピングプレート２０３を外部に臨ませる略円形のディスク駆動用開口部２０６が設けられている。第２のディスクカートリッジ２００がディスク記録再生装置に装填されたとき、この駆動用開口部２０６からは、ディスクテーブルが進入し、光ディスク２０１のクランピングプレート２０３がディスクテーブルに磁気吸引される。なお、この第２のディスクカートリッジ２００には、第１のディスクカートリッジ１００の記録再生用開口部２０４を開閉するシャッタ部材は設けられていない。
【００１４】
また、カートリッジ本体２０２の底面であって湾曲部２０２ｂに沿う位置には、真円と長円でなる位置決め孔２０７ａ，２０７ｂが形成されている。
【００１５】
以上のような第２のディスクカートリッジ１００は、カートリッジ本体２０２の円弧状部２０２ａを挿入端として、ディスク記録再生装置に装填される。すると、第２のディスクカートリッジ２００は、ディスク記録再生装置側の位置決めピンが位置決め孔２０７ａ、２０７ｂに係合することによって位置決めされ、記録や再生が可能な状態になる。そして、光ディスク２０１は、クランピングプレート２０３がディスクテーブルに装着されて回転されると共に、光ピックアップにより記録再生用開口部２０４を介して光ビームが照射され光ディスク２０１で反射された光ビームが光ピックアップによって検出されることによって、情報信号の再生が行われる。
【００１６】
第１のディスクカートリッジ１００と第２のディスクカートリッジ２００とを比較したとき、これらは、共に、片手の掌に収納される程度の大きさであり、光ピックアップを記録再生に用いる光ディスクを記録媒体に用いる点で共通しており、ディスク記録再生装置のディスクテーブル、光ピックアップ等の記録再生ユニットを共通化することも可能である。また、図６に示すように、第１のディスクカートリッジ１００と第２のディスクカートリッジ２００とは、光磁気ディスク１０１及び光ディスク２０１にクランピングプレート１０３，２０３を取り付けてなり、更に、駆動用開口部１０６，２０６の位置も略一致している。
【００１７】
一方で、図６に示すように、第２のディスクカートリッジ２００は、全体の大きさが第１のディスクカートリッジ１００よりやや小さく、また、薄く形成されている。更に、第１のディスクカートリッジ１００は、各辺が直線的に形成され全体が略矩形をなしているのに対して、第２のディスクカートリッジ２００は、円弧状部２０２ａと湾曲部２０２ｂとが設けられており、第１のディスクカートリッジ１００と外形を異にしている。そして、第２のディスクカートリッジ２００の位置決め孔２０７ａ，２０７ｂの位置も、第１のディスクカートリッジ１００の位置決め孔１０７ａ，１０７ｂの位置と相違している。これら第１のディスクカートリッジ１００と第２のディスクカートリッジ２００の外形の相違は、ディスク記録再生装置を共通化する際の妨げとなる。
【００１８】
【特許文献１】特開平０７−６４９３号公報
【発明の開示】
【発明が解決しようとする課題】
【００１９】
本発明は、以上のような課題に鑑みてなされたものであって、その目的は、第１のディスクカートリッジの外形に一致するアダプタ本体に第２のディスクカートリッジを装着可能とすることで、第１のディスクカートリッジのディスク記録再生装置で第２のディスクカートリッジの記録再生を可能とするディスクカートリッジ用アダプタ装置を提供することにある。
【００２０】
また、本発明の目的は、アダプタ本体に第２のディスクカートリッジを正確に位置決めして装着することができるディスクカートリッジ用アダプタ装置を提供することにある。
【００２１】
更に、本発明の目的は、第２のディスクカートリッジの着脱を容易に行うことができるディスクカートリッジ用アダプタ装置を提供することにある。
【００２２】
更に、本発明の目的は、記録再生用開口部のシャッタ部材が設けられていない第２のディスクカートリッジに用いられているディスクを保護することができるディスクカートリッジ用アダプタ装置を提供することにある。
【課題を解決するための手段】
【００２３】
本発明に係るディスクカートリッジ用アダプタ装置は、第１のディスクカートリッジの外形と一致する形状をなすアダプタ本体と、第１のディスクカートリッジと外形を異にする第２のディスクカートリッジが位置決めされて装着される装着部と、上記装着部の外周部に形成され、上記装着部に装着された上記第２のディスクカートリッジに係合して上記装着部からの脱落を防止する脱落防止片と、上記第２のディスクカートリッジの底面部に形成されたディスク回転駆動用開口部に対応して上記装着部に形成された第１の開口部と、上記第２のディスクカートリッジの底面部に形成された記録及び／又は再生用の開口部に対応して上記装着部に形成された第２の開口部とを備える。
【発明の効果】
【００２４】
本発明では、第２のディスクカートリッジが装着部に脱落防止片によって脱落が防止された状態で装着される。これにより、第１の開口部と第２のディスクカートリッジのディスク回転駆動用開口部とが一致し、更に、第２の開口部と第２のディスクカートリッジの記録及び／又は再生用の開口部とが一致し、第１のディスクカートリッジ用の記録及び／又は再生装置に装着可能な状態になる。ユーザは、第２のディスクカートリッジをアダプタ装置に装着することで、第１のディスクカートリッジの記録及び／又は再生装置で第２のディスクカートリッジの記録及び／又は再生が可能となり、利便性の向上が図られる。
【発明を実施するための最良の形態】
【００２５】
以下、本発明を適用したディスクカートリッジのアダプタ装置を、図面を参照して説明する。
【００２６】
図１に示すように、本発明を適用したアダプタ装置１は、図４に示した第１のディスクカートリッジ１００の外形と一致するアダプタ本体２を有する。すなわち、このアダプタ本体２は、第１のディスクカートリッジ１００のディスク記録再生装置に装着可能なように、全体が略矩形をなし、第１のディスクカートリッジ１００のカートリッジ本体１０２と同じ形状で且つ同じ大きさに例えば合成樹脂を射出成形することにより形成されている。
【００２７】
このアダプタ本体２の一方の主面部には、図５に示す第２のディスクカートリッジ２００が装着される装着部３が形成されている。この装着部３は、アダプタ本体２に内接する程度の大きさの凹部で形成され、第２のディスクカートリッジ２００の外形に対応して形成されている。
【００２８】
装着部３の底面部には、第２のディスクカートリッジ２００の駆動用開口部２０６に対応した略円形の第１の開口部４が形成されている。この第１の開口部４は、駆動用開口部２０６に臨まされたクランピングプレート２０３を外部に臨ませるものであるから、少なくとも駆動用開口部２０６全体を外部に臨ませる大きさに形成されている。
【００２９】
また、装着部３には、前面２ａの略中央に、略矩形の第２の開口部５が形成されている。この第２の開口部５は、第２のディスクカートリッジ２００の記録再生用開口部２０４に対応して形成されている。また、この第２の開口部５が設けられた位置は、図４に示した第１のディスクカートリッジ１００の記録再生用開口部１０４ｂに対応した位置でもある。第２の開口部５は、光ディスク２０１の記録再生が可能なように信号記録領域を内外に亘って外部に臨ませるものであるから、少なくとも、記録再生用開口部２０４の全体を外部に臨ませる大きさに形成されている。
【００３０】
なお、アダプタ本体２の第１の開口部４と第２の開口部５とは、連続した開口部で構成しても良い。
【００３１】
更に、装着部３には、第２のディスクカートリッジ２００の位置決め孔２０７ａ，２０７ｂに係合する位置決めピン６ａ，６ｂが形成されている。更に、装着部３には、第２のディスクカートリッジ２００の着脱を容易にするための取り外し用開口部７が形成されている。
【００３２】
以上のような装着部３は、アダプタ本体２の前面２ａに対して直交する一側面２ｂ側が第２のディスクカートリッジ２００の円弧状部２０２ａに対応した円弧状部３ａとなっており、アダプタ本体２の前面２ａに対して直交する他側面２ｃ側が第２のディスクカートリッジ２００の湾曲部２０２ｂに対応した湾曲部３ｂとなっている。
【００３３】
更に、装着部３の周壁９には、複数の脱落防止片８が形成されている。脱落防止片８は、装着部３に装着された第２のディスクカートリッジ２００の装着部３からの脱落を防止するものであり、円弧状部３ａの中央位置、湾曲部３ｂの両側近傍の３カ所に設けられている。各脱落防止片８は、装着部３の周壁９より外側に窪んだ凹部１０に装着部３の底面に一体的に形成されており、内外に亘って弾性変位するように形成されている。各脱落防止片８の先端側には、装着部３に装着された第２のディスクカートリッジ２００の外周縁を係止する係止突起８ａが形成されている。
【００３４】
なお、脱落防止片８の数は、３つの例に限定されるものではなく、１つ、２つでも良く、更に、４つ以上であっても良い。
【００３５】
更に、アダプタ本体２の底面部には、第１のディスクカートリッジ１００の位置決め孔１０７ａ，１０７ｂに対応した真円と長円でなる位置決め孔１１ａ，１１ｂが形成されている。
【００３６】
以上のようなアダプタ装置１には、第２のディスクカートリッジ２００が次のように装着される。すなわち、アダプタ本体２の装着部３には、装着部の円弧状部３ａに第２のディスクカートリッジ２００の円弧状部２０２ａを対応させ、装着部３の湾曲部３ｂに第２のディスクカートリッジ２００の湾曲部２０２ｂを対応させるようにし、更に、記録再生用開口部２０４を第２の開口部５に対応させ、駆動用開口部２０６を第１の開口部４に対応させるようにして、第２のディスクカートリッジ２００が装着される。第２のディスクカートリッジ２００が装着されるとき、装着部３の脱落防止片８は、装着部３の外側に一時的に弾性変位することによって、係止突起８ａが第２のディスクカートリッジ２００に係止され、第２のディスクカートリッジ２００の装着部３からの脱落を防止する。更に、装着部３に装着された第２のディスクカートリッジ２００は、位置決め孔２０７ａ，２０７ｂに位置決めピン６ａ，６ｂが係合することによって、位置決め装着される。これにより、第２のディスクカートリッジ２００の記録媒体である光ディスク２０１は、クランピングプレート２０３がカートリッジ本体２０２の駆動用開口部２０６及びアダプタ本体２の第１の開口部４より外部に臨み、記録再生用開口部２０４及び第２の開口部５を介して信号記録領域の一部が径方向に亘って外部に臨むことになる。
【００３７】
かくして、第２のディスクカートリッジ２００は、第１のディスクカートリッジ１００と外形が同じアダプタ装置１に装着され、この第２のディスクカートリッジ２００が装着されたアダプタ装置１は、第１のディスクカートリッジ１００と同じく、アダプタ本体２の一側面２ｂを挿入端として、第１のディスクカートリッジ１００のディスク記録再生装置に挿入される。すると、アダプタ装置１は、ディスク記録再生装置側のディスクテーブルや光ピックアップが設けられたカートリッジ装着部の一対の位置決めピンが位置決め孔１１ａ，１１ｂに係合することによって、カートリッジ装着部に位置決め装着される。そして、ディスク記録再生装置のディスクテーブルは、カートリッジ本体２０２の駆動用開口部２０６及びアダプタ本体２の第１の開口部４よりカートリッジ本体２０２内に進入し、クランピングプレート２０３を磁気吸引し、光ディスク２０１が回転可能に装着される。また、光ピックアップの対物レンズが記録再生用開口部２０４及び第２の開口部５を介して光ディスク２０１の信号記録領域に臨むことになる。そして、第２のディスクカートリッジ２００の光ディスク２０１は、ディスクテーブルによって線速度又は角速度、更にはこれらの組み合わせで回転され、更に、光ピックアップにより光ビームが照射され反射された戻りの光ビームが検出されることによって情報信号の記録再生が行われる。
【００３８】
なお、アダプタ装置１の装着部３からの第２のディスクカートリッジ２００の取り外しは、ユーザの指を取り外し用開口部７より指を挿入し第２のディスクカートリッジ２００の底面部を押圧することによって、脱落防止片８を一時的に弾性変位させることによって行われる。
【００３９】
以上のようなアダプタ装置１によれば、装着部３に対して第２のディスクカートリッジ２００を装着する操作によって第１のディスクカートリッジ１００用のディスク記録再生装置に装着可能となり、第２のディスクカートリッジ２００の利便性の向上を図ることができる。
【００４０】
次に、上述したアダプタ装置１の変形例について図２を参照して説明する。図２に示すアダプタ装置１は、第２の開口部５を開閉するシャッタ部材２１が設けられていることを特徴とする。このシャッタ部材２１は、第１のディスクカートリッジ１００のシャッタ部材１０５に対応するものであり、図２に示すように、第２の開口部５を開閉するシャッタ部２２と、アダプタ本体２の前面２ａに取り付ける取付部２３とを有し、全体が略Ｌ字状に形成されている。更に、取付部２３には、シャッタ部２２と略平行となるようにガイド部２４が形成されている。このガイド部２４には、取付部２３と略平行となるようにガイド突起２４ａが形成されている。更に、取付部２３には、アダプタ本体２の前面２ａに沿う延長方向に延長片２５が形成され、この延長片２５には、シャッタ部材２１を第２の開口部５を閉塞し対置にロックするための係合片２６が形成されている。
【００４１】
一方、アダプタ本体２の前面側には、以上のようなシャッタ部材２１がシャッタ部２２とガイド部２４とでアダプタ本体２の前面側を挟み込むように取り付けられ、シャッタ部材２１の取付位置には、シャッタ部材２１の移動をガイドするガイド溝２７が形成されている。ガイド溝２７には、図示しないが係合溝が移動方向に沿って形成され、ガイド部２４のガイド突起２４ａが係合されることによって、アダプタ本体２の前面２ａからの脱落が防止される。更に、シャッタ部材２１は、アダプタ本体２に取り付けられると、延長片２５が前面２ａに沿って延在し、係合片２６がアダプタ本体２内に進入する。
【００４２】
アダプタ本体２には、このようなシャッタ部材２１の移動をロックするロック部材２８が配設される。このロック部材２８は、取付片２８ａと弾性片２８ｂによって略Ｃ字状に形成され、アダプタ本体２内の取付ピン２８ｃに取り付けられている。このロック部材２８は、アダプタ本体２に取り付けられたとき、取付片２８ａが固定となり、取付片２８ａに対して弾性片２８ｂが弾性変位する。そして、シャッタ部材２１の延長片２５の係合片２６が弾性片２８ｂに形成された係合凹部２８ｄに係合することによって、シャッタ部材２１が第２の開口部５を閉塞した位置にロックされる。
【００４３】
なお、シャッタ部材２１に関し、第２の開口部５を開閉するシャッタ部は、第２の開口部５の他に第１の開口部４も開閉するものであっても良い。
【００４４】
以上のような図２に示したアダプタ装置１は、ディスク記録再生装置に挿入されていない非使用時、アダプタ本体２の第２の開口部５をシャッタ部２２が閉塞した位置にあり、シャッタ部材２１の延長片２５の係合片２６が弾性片２８ｂに形成された係合凹部２８ｄに係合し、シャッタ部材２１の移動がロックされた状態にある。この状態で、装着部３には、第２のディスクカートリッジ２００の着脱が行われることになる。このように、第２のディスクカートリッジ２００が装着部３に装着されているとき、このアダプタ装置１は、第２の開口部５がシャッタ部材２１のシャッタ部２２によって閉塞され、この閉塞状態がロックされていることから、第２のディスクカートリッジ２００の光ディスク２０１が記録再生用開口部２０４及び第２の開口部５から外部に臨まされることが無くなり、光ディスク２０１に塵埃、指紋といった異物が付着することを防止することができる。
【００４５】
そして、図２のアダプタ装置１は、第２のディスクカートリッジ２００が装着部３に装着された状態で、一側面２ｂを挿入端として第１のディスクカートリッジ１００のディスク記録再生装置に挿入される。すると、シャッタ部材２１は、図２のアダプタ装置１の挿入方向と同方向の図２中矢印Ａ方向に、アダプタ本体２の前面２ａに沿ってスライドし、第２の開口部５を開放する。この際、シャッタ部材２１のロック解除は、ディスク記録再生装置側の挿入ガイド片がロック部材２８の弾性片２８ｂを内側に押圧することによって、シャッタ部材２１延長片２５の係合片２６が弾性片２８ｂの係合凹部２８ｄより外れることによって行われる。
【００４６】
以上のようなアダプタ装置１によれば、装着部３に対して第２のディスクカートリッジ２００を装着する操作によって第１のディスクカートリッジ１００用のディスク記録再生装置に装着可能となり、第２のディスクカートリッジ２００の利便性の向上を図ることができる。加えて、第２のディスクカートリッジ２００が装着部３に装着されているとき、第２の開口部５がシャッタ部材２１によって閉塞されることで、第２のディスクカートリッジ２００の記録媒体となっている光ディスク２０１の保護をすることができる。
【００４７】
更に、本発明が適用されたアダプタ装置を図３を参照して説明する。このアダプタ装置３０は、図３に示すように、第１のディスクカートリッジ１００の外形と一致するアダプタ本体３１を有する。このアダプタ本体３１も全体が略矩形であり、第１のディスクカートリッジ１００のディスク記録再生装置への挿入端となる一側面３１ｂと反対側の他側面３１ｃに、第２のディスクカートリッジ２００が円弧状部２０２ａを挿入端として挿入される挿脱口３２が形成され、更に、この挿脱口３２に連続して第２のディスクカートリッジ２００が装着される装着部となる収納部３３が形成されている。この収納部３３は、第２のディスクカートリッジ２００の挿入端の円弧状部２０２ａに対応してた円弧状部３３ａが最奥部に形成されている。
【００４８】
この収納部３３には、アダプタ本体３１の底面部略中央部に、第２のディスクカートリッジ２００の駆動用開口部２０６に対応した略円形の第１の開口部３４が形成されている。収納部３３には、アダプタ本体３１の前面３１ａの略中央に、略矩形の第２の開口部３５が形成されている。この第２の開口部３５は、第２のディスクカートリッジ２００の記録再生用開口部２０４に対応して形成されている。
【００４９】
以上のように、アダプタ本体３１の収納部３３は、上述したアダプタ装置１のアダプタ本体２と同様な構成を有しているが、挿脱口３２より第２のディスクカートリッジ２００が収納部３３と底面部に摺接するように挿入されるものであるから、第２のディスクカートリッジ２００のスライドを阻害するアダプタ本体２に形成されていた位置決めピン６ａ，６ｂは設けられていない。
【００５０】
更に、収納部３３には、アダプタ本体３１の前面３１ａと反対側の背面３１ｄに、収納部３３に収納した第２のディスクカートリッジ２００に形成された係合凹部２０８に係合される脱落防止片３６が係合されている。この脱落防止片３６は、アダプタ本体３１の背面３１ｄに切り込みを設けることによって、背面３１ｄに対して直交する方向に弾性変位可能に形成されている。脱落防止片３６は、第２のディスクカートリッジ２００が収納部３３に収納されたとき、第２のディスクカートリッジ２００の係合凹部２０８に係合することにより、収納部３３に第２のディスクカートリッジ２００を保持する。
【００５１】
更に、アダプタ本体３１の底面には、前面３１ａに沿うように、第１のディスクカートリッジ１００の位置決め孔１０７ａ，１０７ｂに対応した真円と長円でなる位置決め孔３７ａ，３７ｂが形成されている。
【００５２】
以上のようなアダプタ装置３０は、第２のディスクカートリッジ２００が次のように装着される。すなわち、アダプタ本体３１の収納部３３には、挿脱口３２より第２のディスクカートリッジ２００の円弧状部２０２ａを挿入端として挿入される。そして、脱落防止片３６が第２のディスクカートリッジ２００の係合凹部２０８に係合されることによって収納位置が保持されることになる。これにより、第２のディスクカートリッジ２００の記録媒体である光ディスク２０１は、クランピングプレート２０３がカートリッジ本体２０２の駆動用開口部２０６及びアダプタ本体３１の第１の開口部３４より外部に臨み、記録再生用開口部２０４及び第２の開口部３５を介して信号記録領域の一部が径方向に亘って外部に臨むことになる。そして、このアダプタ装置３０は、第１のディスク記録再生装置に一側面３１ｂを挿入端として挿入されることになる。すると、ディスク記録再生装置に挿入されたアダプタ装置３０は、カートリッジ装着部の一対の位置決めピンが位置決め孔３７ａ，３７ｂに係合することによって、カートリッジ装着部に位置決め装着され、光ディスク２０１の記録再生が可能な状態となる。
【００５３】
以上のようなアダプタ装置３０によれば、装着部となる収納部３３に挿脱口３２より第２のディスクカートリッジ２００を挿入することによって装着することで第１のディスクカートリッジ１００用のディスク記録再生装置に装着可能となり、第２のディスクカートリッジ２００の利便性の向上を図ることができる。
【００５４】
なお、このアダプタ装置３０においても、図２に示したように、シャッタ部材２１やロック部材２８を設けるようにしても良い。
【図面の簡単な説明】
【００５５】
【図１】本発明が適用された第２のディスクカートリッジ用のアダプタ装置の斜視図である。
【図２】シャッタ部材が設けられた第２のディスクカートリッジ用のアダプタ装置の斜視図である。
【図３】スライドによって第２のディスクカートリッジを挿入することができる第２のディスクカートリッジ用のアダプタ装置の斜視図である。
【図４】第１のディスクカートリッジの斜視図である。
【図５】第２のディスクカートリッジの斜視図である。
【図６】第１のディスクカートリッジと第２のディスクカートリッジの外形を比較した平面図である。
【符号の説明】
【００５６】
１  アダプタ装置、２  アダプタ本体、２ａ  前面、２ｂ  一側面、２ｃ  他側面、３  装着部、３ａ  円弧状部、３ｂ  湾曲部、４  第１の開口部、５  第２の開口部、６ａ，６ｂ  位置決めピン、７  取り外し用開口部、８  脱落防止片、８ａ  係止突起、９  周壁、１０  凹部、１１ａ，１１ｂ  位置決め孔、２０  シャッタ部材、２２  シャッタ部、２３  取付部、２４  ガイド部、２５  延長片、２６  係合片、２７  ガイド溝、２８  ロック部材、２８ａ  取付片、２８ｂ  弾性片、２８ｃ  取付ピン、２８ｄ  係合凹部、３０  アダプタ装置、３１  アダプタ本体、３１ａ  前面、３１ｂ  一側面、３１ｃ  他側面、３１ｄ  背面、３３  収納部、３３ａ  円弧状部、３４  第１の開口部、３５  第２の開口部、３６  脱落防止片、３７ａ，３７ｂ  位置決め孔
【図１】
2007080467.tif 000003
【図２】
2007080467.tif 000004
【図３】
2007080467.tif 000005
【図４】
2007080467.tif 000006
【図５】
2007080467.tif 000007
【図６】
2007080467.tif 000008